(57)【要約】【課題】複数の表示装置を備えたメータ装置において、各表示装置の表示面の向きを異ならせて設置させることを安価に達成できるメータ装置を提供すること。【解決手段】中央表示装置１を挟んでその左右に配置され、表示面を、メータ中央側に傾けて配置された第１左側表示装置２および第１右側表示装置４と、第１左側表示装置２に電気的に接続された左側基板２４と、第１右側表示装置４に電気的に接続された右側基板２５と、中央表示装置１のロアハウジング１２に設けられ、左側基板２４に固定された左側第１固定部３１，左側第２固定部３２，左側第３固定部３３、および右側基板２５に固定された右側第１固定部４１，右側第２固定部４２，右側第３固定部４３と、を備え、左側基板２４と右側基板２５とが、中央表示装置１のロアハウジング１２を介して結合され、中央表示装置１が、左側基板２４とコネクタ２４２で電気的に接続されているメータ装置とした。【選択図】図１
2009107370.tif 000002
【特許請求の範囲】
【請求項１】
第１表示装置を挟んでその左右に配置され、表示面を、前記第１表示装置側に傾けて配置された第２表示装置および第３表示装置と、
前記第２表示装置を支持するとともに、前記第２表示装置に電気的に接続された第１基板と、
前記第３表示装置を支持するとともに、前記第３表示装置に電気的に接続された第２基板と、
前記第１表示装置に設けられ、この第１表示装置の表示部を収容する硬質素材製のハウジングと、
このハウジングに設けられ、前記第１基板に固定された第１固定部と、
前記ハウジングに設けられ、前記第２基板に固定された第２固定部と、
を備え、
前記第１基板と第２基板とが、前記第１表示装置のハウジングを介して結合され、前記第１表示装置が、前記第１基板と第２基板との少なくとも一方と電気的に接続されていることを特徴とするメータ装置。
【請求項２】
前記第１固定部および第２固定部が、それぞれ３以上の複数箇所に設けられているとともに、前記第１固定部および第２固定部は、上下方向で一直線上に重なることなく左右方向に幅を有して配置されていることを特徴とする請求項１に記載のメータ装置。
【請求項３】
前記３以上の複数箇所に設けられた第１固定部および第２固定部は、その少なくとも１つが、前記ハウジングに一体に形成され、ハウジングから左右方向に延びるアーム片と、このアーム片から前記基板に向けて延びる脚と、を備えていることを特徴とする請求項２に記載のメータ装置。
【請求項４】
前記第１基板と第２基板との一方をメイン基板とするとともに、他方をサブ基板とし、
前記メイン基板に、前記サブ基板に対してメータ背面方向に重なる位置まで延長させた延長部が設けられ、前記サブ基板よりも大きな面積に形成されていることを特徴とする請求項１〜３のいずれか１項に記載のメータ装置。
【発明の詳細な説明】
【技術分野】
【０００１】
本発明は、自動車などに用いられるメータ装置に関し、特に、基板を連結する技術に関する。
【背景技術】
【０００２】
従来、車両用などのメータ装置において、メータ装置に設けられた複数の表示装置の各表示面を、使用者の目線の方向に向けて配置させることが、特許文献１などで知られている。
この特許文献１には、インストルメントパネルにおいて、運転席と助手席との間である車両中央部分に、メータ装置が設けられ、このメータ装置に設けられた複数の表示計器の表示面が、運転者方向へ傾斜し、かつ、各表示面が互いに平行を保つように、インストルメントパネルの横幅方向を向いて階段状に設置されている。
【０００３】
したがって、運転者の視認性を良好に保つことができ、かつ、メータ装置の全体が運転者の方向を向くのと比較して、メータ装置の深さ方向の寸法を小さくして、良好な車載性を得ることができる。
【特許文献１】特開２００２−８７１１３号公報
【発明の開示】
【発明が解決しようとする課題】
【０００４】
しかしながら、上述の従来技術にあっては、複数の表示装置の各ムーブメントを保持するとともに電気的な接続を行う基板を、表示面の向きが異なって配置された表示装置ごとに設ける必要があり、基板数が増えるとともに、基板どうしを接続する接点数も多く必要となり、コストアップを招く。
【０００５】
本発明は、上述のような従来の問題に着目して成されたもので、複数の表示装置を備えたメータ装置において、各表示装置の表示面の向きを異ならせて設置させることを安価に達成できるメータ装置を提供することを目的とする。
【課題を解決するための手段】
【０００６】
上述の目的を達成するため本発明は、第１表示装置を挟んでその左右に配置され、表示面を、前記第１表示装置側に傾けて配置された第２表示装置および第３表示装置と、前記第２表示装置を支持するとともに、前記第２表示装置に電気的に接続された第１基板と、前記第３表示装置を支持するとともに、前記第３表示装置に電気的に接続された第２基板と、前記第１表示装置に設けられ、この第１表示装置の表示部を収容する硬質素材製のハウジングと、このハウジングに設けられ、前記第１基板に固定された第１固定部と、前記ハウジングに設けられ、前記第２基板に固定された第２固定部と、を備え、前記第１基板と第２基板とが、前記第１表示装置のハウジングを介して結合され、前記第１表示装置が、前記第１基板と第２基板との少なくとも一方と電気的に接続されていることを特徴とするメータ装置とした。
【０００７】
また、請求項２に記載の発明は、請求項１に記載のメータ装置において、前記第１固定部および第２固定部が、それぞれ３以上の複数箇所に設けられているとともに、前記第１固定部および第２固定部は、上下方向で一直線上に重なることなく左右方向に幅を有して配置されていることを特徴とするメータ装置とした。
【０００８】
また、請求項３に記載の発明は、請求項２に記載のメータ装置において、前記３以上の複数箇所に設けられた第１固定部および第２固定部は、その少なくとも１つが、前記ハウジングに一体に形成され、ハウジングから左右方向に延びるアーム片と、このアーム片から前記基板に向けて延びる脚と、を備えていることを特徴とするメータ装置とした。
【０００９】
また、請求項４に記載の発明は、請求項１〜３のいずれか１項に記載のメータ装置において、前記第１基板と第２基板との一方をメイン基板とするとともに、他方をサブ基板とし、前記メイン基板に、前記サブ基板に対してメータ背面方向に重なる位置まで延長させた延長部が設けられ、前記サブ基板よりも大きな面積に形成されていることを特徴とするメータ装置とした。
【発明の効果】
【００１０】
本発明のメータ装置では、第１基板と第２基板とを第１表示装置のハウジングを介して結合したため、基板どうしの連結専用の部品を省略することができ、かつ、第１表示装置は、第１基板と第２基板との少なくとも一方と電気的に接続され、第１表示装置専用の基板を省略することができる。
よって、メータ装置において、複数の表示装置の表示面の向きを異ならせて設置させることを安価に達成できる。
【００１１】
さらに、請求項２に記載の発明では、第１表示装置の左右のそれぞれに設けられた３以上の複数の固定部が、左右のそれぞれで上下方向に同一線上に重なることなく左右方向に幅を有して配置したため、複数の固定部を同一線上に配置したものと比較して、第１基板および第２基板が、各固定部を中心に折れ曲がるのを防止して、第１表示装置と第１・第２両基板とを強固に結合することができる。
【００１２】
また、請求項３に記載の発明では、各固定部の少なくとも１つは、ハウジングから左右方向に一体に延びるアーム片を備えているため、ハウジングの全幅の範囲内で、複数の固定部を左右方向に幅を持たせて配置するのと比較して、各固定部を三角状に配置するのが容易となる。
【００１３】
請求項４に記載の発明では、第１基板と第２基板との一方をメイン基板とするとともに、もう一方をサブ基板とし、メイン基板には、サブ基板のメータ背面方向に重なる位置まで延長させた延長部を設け、サブ基板よりも大きな面積に形成した。
このため、メイン基板に実装できる回路構成を大きくすることができ、実装自由度を向上できる。例えば、メインのＣＰＵや電源回路をメイン基板に搭載でき、これらを２つの基板に振り分けるのと比較して、構成の簡略化を図ることが可能となる。
【発明を実施するための最良の形態】
【００１４】
以下、本発明の実施の形態を図面に基づいて説明する。
この実施の形態のメータ装置は、第１表示装置（１）を挟んでその左右に配置され、表示面（２ｃ，４ｃ）を、前記第１表示装置側に傾けて配置された第２表示装置（２）および第３表示装置（４）と、前記第２表示装置（２）を支持するとともに、前記第２表示装置（２）に電気的に接続された第１基板（２４）と、前記第３表示装置（４）を支持するとともに、前記第３表示装置（４）に電気的に接続された第２基板（２５）と、前記第１表示装置（１）に設けられ、この第１表示装置（１）の表示部（１ａ）を収容する硬質素材製のハウジング（１１，１２）と、このハウジング（１２）に設けられ、前記第１基板（２４）に固定された第１固定部（３１，３２，３３）と、前記ハウジングに設けられ、前記第２基板（２５）に固定された第２固定部（４１，４２，４３）と、を備え、前記第１基板（２４）と第２基板（２５）とが、前記第１表示装置（１）のハウジング（１２）を介して結合され、前記第１表示装置（１）が、前記第１基板（２４）と第２基板（２５）との少なくとも一方と電気的に接続されていることを特徴とするメータ装置である。
【実施例１】
【００１５】
以下に、図１〜図７に基づいて、この発明の最良の実施の形態の実施例１のメータ装置Ａについて説明する。
【００１６】
この実施例１のメータ装置Ａは、図２に示すように、左右方向の中央に配置された中央表示装置（第１表示装置）１と、この中央表示装置１を挟んで図中左側に配置された大径の第１左側表示装置（第２表示装置）２およびこの第１左側表示装置２の左下に配置された小径の第２左側表示装置３と、前記中央表示装置１を挟んで図中右側に配置された大径の第１右側表示装置（第３表示装置）４およびこの第１右側表示装置４の図中右下に配置された小径の第２右側表示装置５と、を備えている。
【００１７】
なお、中央表示装置１は、液晶パネル（表示部）１ａを備え、この液晶パネル１ａに、例えば、走行距離などを表示する。
第１左側表示装置２は、円形の表示面２ｃの外周に沿って目盛２ａが設けられているとともに、先端がこの目盛２ａに沿って回動する指針２ｂを備え、例えば、エンジン回転数などを表示する。
第２左側表示装置３は、略扇形状の表示面３ｃに沿って回動する指針３ａを備え、振れ角に応じて例えば燃料残量などを表示する。
第１右側表示装置４は、円形の表示面４ｃの外周に沿って目盛４ａが設けられているとともに、先端がこの目盛４ａに沿って回動する指針４ｂを備え、例えば、車速などを表示する。
第２右側表示装置５は、略扇形状の表示面５ｃに沿って回動する指針５ａを備え、振れ角に応じて例えばエンジン冷却水温などを表示する。
【００１８】
上述のメータ装置Ａは、図外の自動車のインストルメントパネルに設けられたメータクラスタ内に取り付けられており、図３に示すように、矢印ＲＲで示すメータ正面方向側から順に、アッパケース２１、文字板２２、ロアケース２３、左側基板（第１基板）２４，右側基板（第２基板）２５、バックカバー２６を備えている。
【００１９】
また、図４にも示すように、文字板２２は、中央表示装置１が設置された左右方向の中央部２２ａが、矢印ＲＲ方向であるメータ正面方向を向き、この中央部２２ａの左側部分２２ｂは、メータ正面の運転者の方向を向くように、メータ中央方向に緩やかに湾曲され、一方、中央部２２ａの右側部分２２ｃも、メータ正面の運転者の方向を向くように、メータ中央方向に緩やかに湾曲された形状に形成されている。
【００２０】
このため、図１に示すように、指針２ｂ，３ａ，４ｂ，５ａを有した各表示装置２，３，４，５は、回動中心軸２ｄ，３ｄ，４ｄ，５ｄの向きが異なって配置されており、かつ、図１には表れていないが、各表示装置２，３，４，５の表示面２ｃ，３ｃ，４ｃ，５ｃも、回動中心軸２ｄ，３ｄ，４ｄ，５ｄの直交方向を向いて、すなわち、左右方向で中央表示装置１の方向に傾けて、メータ正面方向の運転者の方向を向くよう設置されている。
【００２１】
第１左側表示装置２の指針２ｂを駆動させるムーブメント２ｍは、左側基板２４に支持され、第１右側表示装置４のムーブメント（図示省略）は、右側基板２５に支持されている。なお、図１では、第１右側表示装置４のムーブメントの上方に外部コントローラとの接続用のメインコネクタ２５２が設置されていて、その陰に隠れているため、図面上には表れていない。
さらに、第２左側表示装置３のムーブメント３ｍは、左側基板２４からメータ正面方向に離間して配置された第１付属基板２４１に支持されており、この第１付属基板２４１は、図示を省略したハーネスを介して左側基板２４に電気的に接続されている。
同様に、第２右側表示装置５のムーブメント５ｍは、右側基板２５からメータ正面方向に離間して配置された第２付属基板２５１に支持されており、この第２付属基板２５１は、図示を省略したハーネスを介して右側基板２５に電気的に接続されている。
【００２２】
なお、第１付属基板２４１および第２付属基板２５１は、図３に示すように、ロアケース２３の左右端部において、メータ正面方向に厚みを有して形成された基板支持部２３ａ，２３ｂに支持されている。
【００２３】
上述した左側基板２４および右側基板２５は、文字板２２の背面に沿って設けられており、両基板２４，２５は、中央表示装置１を介して連結されている。
以下に、この連結構造について詳細に説明する。
【００２４】
図１に示すように、左側基板２４と右側基板２５とは、バックカバー２６内に収まる範囲で深さ方向に傾けて配置されている。
すなわち、バックカバー２６は、図３に示すように、背面板２６ａの周囲を枠壁２６ｂで囲んで断面略凹状に形成されており、かつ、図１に示すように、背面板２６ａは、左右両端部が中央部よりもメータ正面方向（矢印ＲＲ方向）に配置されるように左右方向に傾斜されている。なお、図において矢印ＦＲがメータ背面方向、矢印Ｌが左方向、矢印Ｒが右方向、矢印ＵＰが上方、矢印ＤＮが下方を示している。
【００２５】
そして、左側基板２４は、左側端縁が右側端縁よりもメータ正面方向に配置されて、第１左側表示装置２の表示面２ｃと略平行にメータ中央方向を向くように傾斜して設置されている。
【００２６】
また、右側基板２５は、左側基板２４とで略山形を成すように、右側端縁が左側端縁よりもメータ正面方向に配置されて、第１右側表示装置４の表示面４ｃと略平行に左右方向に傾斜して設置されている。
さらに、右側基板２５は、左側基板２４よりも左右方向寸法が長く形成されており、この右側基板２５は、左側基板２４のメータ背面方向に重なるまで延長された延長部２５ｃを備えている。
【００２７】
すなわち、右側基板２５は、メータ装置Ａを駆動させるのに必要な図示を省略したＣＰＵや電源回路を備えたメイン基板として、これらＣＰＵや電源回路などを搭載するのに必要な面積を、延長部２５ｃを設けることで確保している。
それに対して、左側基板２４は、右側基板２５の図示を省略したＣＰＵなどから信号が入力されるサブ基板として設けられている。
【００２８】
上述の左側基板２４と右側基板２５とは、中央表示装置１を介して結合されている。
この中央表示装置１としては、前述の液晶パネル１ａを備えたいわゆる液晶モジュールが用いられている。すなわち、中央表示装置１は、図５に示すように、樹脂製のアッパハウジング１１とロアハウジング１２とで直方体を成す箱状に形成され（図６参照）、液晶パネル１ａがメータ正面方向に露出させた状態で収容されているとともに、この液晶パネル１ａの背面に図示を省略したバックライトが収容されている。
【００２９】
ロアハウジング１２には、図６および図７に示すように、左右のそれぞれに、第１固定部としての左側第１固定部３１，左側第２固定部３２，左側第３固定部３３の３箇所の固定部３１〜３３と、第２固定部としての右側第１固定部４１，右側第２固定部４２，右側第３固定部４３の３箇所の固定部と、が設けられている。
そして、これら左側第１固定部３１，左側第２固定部３２，左側第３固定部３３と、右側第１固定部４１，右側第２固定部４２，右側第３固定部４３とは、それぞれ、メータ正面方向から視て略二等辺三角形状を成すように配置されている。
【００３０】
また、左側第１固定部３１、左側第３固定部３３、右側第１固定部４１、右側第３固定部４３は、それぞれ、ロアハウジング１２の上下両端の左右両端から左右方向に突出された平面略直角三角形形状のアーム片３１ａ，３３ａ，４１ａ，４３ａが、ロアハウジング１２と一体に形成されており、これらアーム片３１ａ，３３ａ，４１ａ，４３ａの先端の角部に円柱状の脚部３１ｂ，３３ｂ，４１ｂ，４３ｂがメータ背面方向に向けて立設されている。
一方、左側第２固定部３２および右側第２固定部４２は、ロアハウジング１２の上下方向中央の左右端縁部からメータ背面方向に立設された脚部３２ｂ，４２ｂを備えている。
【００３１】
そして、各脚部３１ｂ，３２ｂ，３３ｂ，４１ｂ，４２ｂ，４３ｂが、図５に示すように、その先端面を、各基板２４，２５に当接させた状態で、各基板２４，２５のメータ背面方向側からネジ５０を締結することで、各基板２４，２５に対して固定されている。
したがって、左側基板２４と右側基板２５とは、中央表示装置１を介して一体的に結合されている。
【００３２】
また、上述のように、アーム片３１ａ，３３ａ，４１ａ，４３ａに取り付けられた脚部３１ｂ，３３ｂ，４１ｂ，４３ｂと、ロアハウジング１２に直接取り付けられた脚部３２ｂ，４２ｂとは、上下方向で左右方向に幅を有して配置されている。すなわち、左側第１固定部３１と左側第３固定部３３において、各脚部３１ｂ，３３ｂのネジ止めによる固定箇所は上下方向で同一線上に配置されているのに対し、左側第２固定部３２の脚部３２ｂのネジ止め位置は、それよりもメータ中央側に配置されている。同様に、右側第１固定部４１と右側第３固定部４３において、各脚部４１ｂ，４３ｂのネジ止めによる固定箇所は上下方向で同一線上に配置されているのに対し、右側第２固定部４２の脚部４２ｂのネジ止め位置は、それよりもメータ中央側に配置されている。
【００３３】
なお、左側基板２４と右側基板２５との電気的な結合は、図５に示すコネクタ結合部６１において、両基板２４，２５に接続されたコネクタどうしを接続することで行われている。
また、中央表示装置１は、中央表示装置１のロアハウジング１２の背面に設けられたコネクタ部（図示省略）に、左側基板２４から延在させたハーネスに接続されたコネクタ２４２を接続することで電気的な接続が行われている。
【００３４】
次に、実施例１の作用を説明する。
実施例１のメータ装置Ａの組み付けにおいて、左右両基板２４，２５と中央表示装置１との組み付けを行う場合には、以下のように行う。
まず、左側基板２４と右側基板２５とによりコネクタ結合部６１におけるコネクタどうしの接続を行う。その後、左側基板２４のコネクタ２４２を中央表示装置１に接続する。そして、中央表示装置１の左側各脚部３１，３２，３３を、左側基板２４に対してネジ５０により固定し、かつ、右側各脚部４１，４２，４３を右側基板２５に対してネジ５０により固定して、両基板２４，２５と中央表示装置１とを一体的に結合した後、バックカバー２６に組み付ける。
【００３５】
以上のように、実施例１のメータ装置Ａでは、各表示装置１〜５の液晶パネル１ａおよび表示面２ｃ，３ｃ，４ｃ，５ｃを運転者に正対するように傾けて配置したため、視認性に優れる。
【００３６】
そして、中央表示装置１を挟んで、各表示装置２〜５の表示面２ｃ，３ｃ，４ｃ，５ｃの傾斜方向を異ならせて設置するのにあたり、第１左側表示装置２を支持する左側基板２４と、第１右側表示装置４を支持する右側基板２５とを、両者２４，２５の中間に位置して、メータ正面方向を向いた中央表示装置１を用いて結合した。さらに、中央表示装置１への電源および信号の伝達は、中央表示装置１に、左側基板２４にハーネスで接続されたコネクタ２４２を接続した構造とした。
【００３７】
このため、中央表示装置１用の基板を省略できるとともに、左側基板２４と右側基板２５とを結合させる結合用ブラケットなどの結合専用部品を省略することができ、コストダウンを図ることができる。
また、左側基板２４を傾けて設置したため、第２左側表示装置３を支持する第１付属基板２４１と左側基板２４とのメータ正面方向の間隔が狭く、両者２４，２４１の接続に必要なハーネスの長さが、中央表示装置１と並行に基板を設置した場合と比較して短くて済み、これによってもコストダウンを図ることができる。
同様に、右側基板２５を傾けて設置したため、第２右側表示装置５を支持する第２付属基板２５１と右側基板２５とのメータ正面方向の間隔が狭く、両者２５，２５１の接続に必要なハーネスの長さが、中央表示装置１と並行に基板を設置した場合と比較して短くて済み、これによってもコストダウンを図ることができる。
このように、実施例１では、各表示装置１〜５の液晶パネル１ａおよび表示面２ｃ，３ｃ，４ｃ，５ｃの向きを異ならせて設置させることを安価に達成できる。
【００３８】
しかも、中央表示装置１の左右両側のそれぞれに設けた、左側基板２４に固定する左側第１〜第３固定部３１〜３３と、右側基板２５に固定する右側第１〜第３固定部４１〜４３とが、その固定箇所が同一線上に並ばないよう三角状に配置したため、これらを同一線上に並べたものと比較して、各基板２４，２５が、中央表示装置１との固定箇所で折れ曲がるのを防止して、強固に結合することができる。
【００３９】
さらに、上述のように、各固定部３１〜３３，４１〜４３を三角状に配置させるのにあたり、上下の左側第１固定部３１，左側第３固定部３３，右側第１固定部４１，右側第３固定部４３は、ロアハウジング１２から左右方向に一体に延びるアーム片３１ａ，３３ａ，４１ａ，４３ａを備えた構成とした。このため、ロアハウジング１２の全幅の範囲内で、複数の固定部を左右方向に幅を持たせて配置するのと比較して、各固定部３１〜３３，４１〜４３を三角状に配置するのが容易になり、左右方向寸法を確保して強固な結合とすることができる。
【００４０】
加えて、各固定部３１〜３３，４１〜４３の各脚部３１ｂ〜３３ｂ、４１ｂ〜４３ｂは、その先端面を各基板２４，２５に面で当接させたため、点当接や線当接と比較して、強固に結合することができる。
【００４１】
また、右側基板２５に、左側基板２４のメータ背面方向に重なる位置まで延長させた延長部２５ｃを設け、左側基板２４よりも大面積として、右側基板２５が単独で、ＣＰＵや電源回路を搭載したメイン基板とすることが可能となった。このため、ＣＰＵや電源回路を２つの基板２４，２５に振り分けるのと比較して、構成の簡略化を図ることが可能となる。
【００４２】
（他の実施例）
以下に、本発明の実施の形態の他の実施例について説明する。なお、以下の実施例は、実施例１の変形例であるため、実施例１との相違点のみを説明し、実施例１と同様の構成を図示する場合には実施例１と同じ符号を付けて説明を省略する。また、実施例１と同様の作用効果についても説明を省略する。
【実施例２】
【００４３】
図８〜図１１に基づいて、この発明の実施の形態の実施例２のメータ装置Ｂについて説明する。
この実施例２のメータ装置Ｂは、右側基板２２５が延長部２５ｃを有することなく、右側基板２２５の左右方向の長さが、中央表示装置１の左右方向中央よりも右側までの長さに形成されている。
また、両基板２４，２２５のメータ背面側に、両基板２４，２２５の電気的な接続を行うコネクタ結合部２６１が設けられている。
他の構成については実施例１と同様であるので、説明を省略する。
【００４４】
したがって、実施例２は、実施例１と同様に、各表示装置１〜５の液晶パネル１ａおよび表示面２ｃ，３ｃ，４ｃ，５ｃの向きを異ならせて設置させることを安価に達成できる効果と、各固定部３１〜３３、４１〜４３を、三角状に配置して強固に結合することができる効果と、各固定部３１，３３，４１，４３が、アーム片３１ａ，３３ａ，４１ａ，４３ａを備え、左右方向寸法を確保して強固な結合とすることができる効果と、各脚部３１ｂ〜３３ｂ、４１ｂ〜４３ｂが、その先端面を各基板２４，２５に面で当接して強固に結合することができる効果と、を奏する。
【実施例３】
【００４５】
図１２に基づいて、この発明の実施の形態の実施例３のメータ装置について説明する。
この実施例３では、左側第１固定部３３１および図示を省略した左側第３固定部３３３が、ロアハウジング３１２から断面Ｌ字状に延びる支持片３３１ａ（３３３ａ）を、左側基板２４にネジ５０で固定している。
【００４６】
一方、左側第２固定部３３２は、左側基板２４の先端縁を差し込んで係合する係合溝３０１を備えた、係合片３０２を備えている。
また、右側第１固定部〜右側第３固定部についても、左右対称の同様の構造とする。
【００４７】
したがって、実施例３では、ネジ５０を締結する作業数を減らすことができ、作業性を向上させることができる。
【実施例４】
【００４８】
図１３に基づいて、この発明の実施の形態の実施例４のメータ装置について説明する。
この実施例４では、中央表示装置１の第１固定部として、ロアハウジング１２に一体に形成された係合片４０１，４０２の先端に、左右側基板２４，２５に形成された係合用穴４０３，４０４に差し込まれて係合状態となる係合爪４０５，４０６が一体に形成されたものが用いられている。
【００４９】
したがって、実施例４では、中央表示装置１と両基板２４，２５との結合時にネジ止め作業が不要となり、作業性を向上させることができる。
【００５０】
以上、図面を参照して、本発明の実施の形態および実施例１〜実施例４を詳述してきたが、具体的な構成は、この実施の形態および実施例１〜実施例４に限らず、本発明の要旨を逸脱しない程度の設計的変更は、本発明に含まれる。
【００５１】
例えば、実施例１〜４では、車両用のメータ装置を示したが、船舶など車両以外のものにも適用することができる。
【００５２】
また、実施例１では、第１基板と第２基板とを結合させる第１表示装置として、メータ装置Ａの左右方向中央に配置されて、メータ正面方向を向いた中央表示装置１を示したがこれに限定されるものではなく、左右の基板の間に配置された表示装置であればよい。
例えば、図１４に概略を示すように、メータ正面方向（矢印ＲＲ方向）を向いた第１基板１４１と、その左隣と右隣とに、それぞれメータ中央方向を向くように傾斜した第２基板１４２および第３基板１４３とが存在する場合に、第１基板１４１と第２基板１４２とを、その間の左側表示装置（第１表示装置）１４４で結合させ、第１基板１４１と第３基板１４３とを、その間の右側表示装置（第１表示装置）１４５で結合させるようにしてもよい。
【００５３】
また、実施例１〜４では、第１固定部および第２固定部として、それぞれが、独立した脚部３１ｂ，３２ｂ，３３ｂ，４１ｂ，４２ｂ，４３ｂを備えたものを示したが、これに限定されるものではない。例えば、図１５に示すように、第１表示装置１５１のハウジングと一体の板状の支持片１５２を形成し、この支持片１５２の複数箇所（図では３箇所）をネジ５０などで図示を省略した基板に締結させるようにしてもよい。
【図面の簡単な説明】
【００５４】
【図１】本発明の最良の実施の形態の実施例１のメータ装置Ａを示す横断面図である。
【図２】実施例１のメータ装置Ａの正面図である。
【図３】実施例１のメータ装置Ａの分解斜視図である。
【図４】実施例１のメータ装置Ａの斜視図である。
【図５】実施例１のメータ装置Ａの要部の上方から視た状態を示す構造説明図である。
【図６】実施例１のメータ装置Ａの要部の斜視図である。
【図７】実施例１のメータ装置Ａの要部の正面図である。
【図８】実施例２のメータ装置Ｂの要部の上方から視た状態を示す構造説明図である。
【図９】実施例２のメータ装置Ｂの要部の斜視図である。
【図１０】実施例２のメータ装置Ｂの要部の正面図である。
【図１１】実施例２のメータ装置Ｂの要部の上方から視た平面図である。
【図１２】実施例３のメータ装置の要部の上方から視た状態を示す構造説明図である。
【図１３】実施例４のメータ装置の要部の上方から視た状態を示す構造説明図である。
【図１４】本発明の実施の形態の他の実施例の概略を示す概略明図である。
【図１５】本発明の実施の形態の他の実施例の概略を示す斜視図である。
【符号の説明】
【００５５】
１     中央表示装置（第１表示装置）
１ａ   液晶パネル（表示部）
２     第１左側表示装置（第２表示装置）
２ｃ   表示面
４     第１右側表示装置（第３表示装置）
４ｃ   表示面
１２   ロアハウジング
２４   左側基板（第１基板）
２５   右側基板（第２基板）
２５ｃ 延長部
３１   左側第１固定部（第１固定部）
３１ａ アーム片
３１ｂ 脚部
３２   左側第２固定部（第１固定部）
３２ｂ 脚部
３３   左側第３固定部（第１固定部）
３３ａ アーム片
３３ｂ 脚部
４１   右側第１固定部（第２固定部）
４１ａ アーム片
４１ｂ 脚部
４２   右側第２固定部（第２固定部）
４２ｂ 脚部
４３   右側第３固定部（第２固定部）
４３ａ アーム片
４３ｂ 脚部
５０   ネジ
６１   コネクタ結合部
２６１ コネクタ結合部
Ａ     メータ装置
【図１】
2009107370.tif 000003
【図２】
2009107370.tif 000004
【図３】
2009107370.tif 000005
【図４】
2009107370.tif 000006
【図５】
2009107370.tif 000007
【図６】
2009107370.tif 000008
【図７】
2009107370.tif 000009
【図８】
2009107370.tif 000010
【図９】
2009107370.tif 000011
【図１０】
2009107370.tif 000012
【図１１】
2009107370.tif 000013
【図１２】
2009107370.tif 000014
【図１３】
2009107370.tif 000015
【図１４】
2009107370.tif 000016
【図１５】
2009107370.tif 000017